(57)【特許請求の範囲】
【請求項１】
内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されたことを特徴とする無電極放電灯。
【請求項２】
内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該ランプ駆動回路のみが該誘導コイルに近接して配置されて放電管とともにランプ部を構成しており、該昇降圧回路乃至力率改善回路と該ランプ駆動回路は分離別置されたことを特徴とする請求項１記載の無電極放電灯。
【請求項３】
内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該ランプ駆動回路のみが該誘導コイルに近接して配置されて放電管とともにランプ部を構成しており、該昇降圧回路乃至力率改善回路と該ランプ駆動回路は分離別置され、該昇降圧回路乃至力率改善回路から該ランプ部に発光に必要な電力が供給され、且つ、該ランプ部は供給電力を受電する入力段にダイオードブリッジを有し、極性にかかわらず接続が可能となることを特徴とする請求項１又は２記載の無電極放電灯。
【請求項４】
該内部にガスを封入した放電電極を有さない無電極放電管は略円盤形状を有し、該無電極放電管に近接して配置される誘導コイルは該無電極放電管の片面乃至両面に近接して置されたことを特徴とする請求項１乃至３のいずれか１項に記載の無電極放電灯。
【請求項５】
該内部にガスを封入した放電電極を有さない無電極放電管は略ドーナツ形状を有し、該無電極放電管に近接して配置される誘導コイルは該無電極放電管の円周上に、略ドーナツ形状の無電極放電管に巻き付くように設置されたことを特徴とする請求項１乃至３のいずれか１項に記載の無電極放電灯。
【請求項６】
該内部にガスを封入した放電電極を有さない無電極放電管は管球に凹部を有し、該無電極放電管に近接して配置される誘導コイルは該無電極放電管の凹部に収納設置されたことを特徴とする請求項１乃至３のいずれか１項に記載の記載の無電極放電灯。
【請求項７】
内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該ランプ駆動回路のみが該誘導コイルに近接して配置されて放電管とともにランプ部を構成しており、該昇降圧回路乃至力率改善回路と該ランプ駆動回路は分離別置され、該分離別置された該昇降圧回路乃至力率改善回路は交流電力を直流電力に変換出力するものであって、該昇降圧回路乃至力率改善回路と該ランプ部間は直流電力を給電する配線によって接続されることを特徴とする請求項２乃至６のいずれか１項に記載の無電極放電灯。
【請求項８】
内部にガスを封入した放電電極を有さない無電極放電管と、該無電極放電管に近接して配置される誘導コイルと、該誘導コイルに高周波電力を供給する回路とを備えた無電極放電灯であって、該内部にガスを封入した放電電極を有さない無電極放電管は管球に凹部を有し、該無電極放電管に近接して配置される誘導コイルは該無電極放電管の凹部に収納設置され、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給されることを特徴とする無電極放電灯。
【請求項９】
内部にガスを封入した放電電極を有さない無電極放電管と、該無電極放電管に近接して配置される誘導コイルと、該誘導コイルに高周波電力を供給する回路とを備えた無電極放電灯であって、該内部にガスを封入した放電電極を有さない無電極放電管は管球に凹部を有し、該無電極放電管に近接して配置される誘導コイルは該無電極放電管の凹部に収納設置され、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給され、且つ、該口金を介して供給電力を受電する入力段にダイオードブリッジを有し、極性にかかわらず該口金を介しての接続が可能となることを特徴とする請求項８記載の無電極放電灯。
【請求項１０】
内部にガスを封入した放電電極を有さない無電極放電管と、該無電極放電管に近接して配置される誘導コイルと、該誘導コイルに高周波電力を供給する回路とを備えた無電極放電灯であって、該内部にガスを封入した放電電極を有さない無電極放電管は管球に凹部を有し、該無電極放電管に近接して配置される誘導コイルは該無電極放電管の凹部に収納設置され、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給され、該ランプ部の管球凹部及び口金部により構成され内部に誘導コイル及びランプ駆動回路を収納した空隙が充填剤により満たされていることを特徴とする請求項８乃至９のいずれか１項に記載の無電極放電灯。
【請求項１１】
該空隙に充填された充填剤は、絶縁性及び熱伝導性を有する材料であることを特徴とする請求項８乃至１０のいずれか１項に記載の無電極放電灯。
【請求項１２】
該空隙に充填された充填剤は、該空隙に充填した後に硬化されたことを特徴とする請求項１１記載の無電極放電灯。
【請求項１３】
該空隙に充填された充填剤は、フェノール樹脂、エポキシ樹脂、メラミン樹脂、尿素樹脂、不飽和ポリエステル樹脂、アルキド樹脂、ポリウレタン、ポリイミド、のいずれかを含む熱硬化性樹脂であることを特徴とする請求項１１又は１２記載の無電極放電灯。
【請求項１４】
該空隙に充填された充填剤は、熱印加、紫外線照射、電子線照射、或いは混合による重合により硬化されたことを特徴とする請求項１１乃至１３のいずれか１項に記載の無電極放電灯。
【請求項１５】
内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該ランプ駆動回路のみが該誘導コイルに近接して配置され、該内部にガスを封入した放電電極を有さない無電極放電管は管球に凹部を有し、該無電極放電管に近接して配置される誘導コイルは該無電極放電管の凹部に収納設置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給され該昇降圧回路乃至力率改善回路と該ランプ駆動回路は分離別置され、該発光に必要な電力は該昇降圧回路乃至力率改善回路から直流電力でもって供給されることを特徴とする請求項８乃至１４のいずれか１項に記載の無電極放電灯を用いた無電極放電灯装置。
【請求項１６】
内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該ランプ駆動回路のみが該誘導コイルに近接して配置され、該昇降圧回路乃至力率改善回路は交流電力を直流電力に変換出力するものであり、該昇降圧回路乃至力率改善回路は筐体内に回路を収納し、且つ該回路を含む筐体内の空隙が充填剤により満たされている無電極放電灯用の安定器を用いたことを特徴とする請求項１５記載の無電極放電灯装置。
【請求項１７】
内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該ランプ駆動回路のみが該誘導コイルに近接して配置され、該内部にガスを封入した放電電極を有さない無電極放電管は管球に凹部を有し、該無電極放電管に近接して配置される誘導コイルは該無電極放電管の凹部に収納設置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給され該昇降圧回路乃至力率改善回路と該ランプ駆動回路は分離別置され、該発光に必要な電力は該昇降圧回路乃至力率改善回路から直流電力でもって供給されることを特徴とし、また該昇降圧回路乃至力率改善回路は筐体内に回路を収納し、且つ該回路を含む筐体内の空隙が充填剤により満たされていることを特徴とする請求項８乃至１４のいずれか１項に記載の無電極放電灯。
【請求項１８】
街路灯やトンネルの天井や壁面、塔屋上、橋梁上等々の高所・危険箇所を含む屋外照明或いは天井灯等の屋内照明に用いる照明器具であって、内部にガスを封入した放電電極を有さない無電極放電管と、該無電極放電管に近接して配置される誘導コイルと、該誘導コイルに高周波電力を供給する回路とを備えた無電極放電灯を用い、該誘導コイルに高周波電力を供給する回路は昇降圧回路乃至力率改善回路及びランプ駆動回路からなり、該ランプ駆動回路のみが該誘導コイルに近接して配置されて放電管とともにランプ部を構成しており、該昇降圧回路乃至力率改善回路と該ランプ駆動回路は分離別置され、該昇降圧回路乃至力率改善回路は地上付近或いは手許近傍に設置され、該ランプ部は高所・危険箇所を含む各位置に設置され、該昇降圧回路乃至力率改善回路と該ランプ部は直流電力を給電する配線により接続されることを特徴とする照明器具。
【請求項１９】
該無電極放電灯は請求項３乃至７のいずれか１項に及び／又は請求項１５に記載された何れかの無電極放電灯を用いたことを特徴とする請求項１８記載の照明器具。
【請求項２０】
該無電極放電灯に用いられる無電極放電管は、請求項８乃至１４のいずれか１項に記載された何れかの無電極放電管を用いたことを特徴とする請求項１８記載の照明器具。
【請求項２１】
街路灯やトンネルの天井や壁面、塔屋上、橋梁上等々の高所・危険箇所を含む屋外照明或いは天井灯等の屋内照明に用いる照明器具を無電極放電管を備えた無電極放電灯に置換する施工方法であって、内部にガスを封入した放電電極を有さない無電極放電管と、該無電極放電管に近接して配置される誘導コイルと、該誘導コイルに高周波電力を供給する回路とを備えた無電極放電灯を用い、該誘導コイルに高周波電力を供給する回路は昇降圧回路乃至力率改善回路及びランプ駆動回路からなり、該ランプ駆動回路のみが該誘導コイルに近接して配置されて放電管とともにランプ部を構成しており、該昇降圧回路乃至力率改善回路と該ランプ駆動回路は分離別置され、既存の配線を利用して該昇降圧回路乃至力率改善回路を地上付近或いは手許近傍に於いて配線中に挿入設置し、該ランプ部を既存のランプに置換して設置し、該昇降圧回路乃至力率改善回路と該ランプ部は既存の配線を利用して直流電力を給電するように施工したことを特徴とする、照明器具を無電極放電管を備えた無電極放電灯に置換する施工方法。
【請求項２２】
請求項２１に記載の照明器具を無電極放電管を備えた無電極放電灯に置換する施工方法であって、該無電極放電灯は請求項３乃至７のいずれか１項に記載された何れかの無電極放電灯を用いたことを特徴とする、請求項２１記載の照明器具を無電極放電管を備えた無電極放電灯に置換する施工方法。
【請求項２３】
請求項２１に記載の照明器具を無電極放電管を備えた無電極放電灯に置換する施工方法であって、該無電極放電灯に用いられる無電極放電管は、請求項８乃至１４のいずれか１項に記載された何れかの無電極放電管を用いたことを特徴とする、請求項２１記載の、照明器具を無電極放電管を備えた無電極放電灯に置換する施工方法。
【発明の詳細な説明】
【技術分野】
【０００１】
本発明は、内部にガスを封入した放電電極を有さない無電極放電管を用いた無電極放電灯、並びに無電極放電灯用の安定器、並びに無電極放電管の製造方法、並びに照明器具、並びに照明器具を無電極放電管を備えた無電極放電灯に置換する施工方法、に関するものである。
【背景技術】
【０００２】
従来、放電管内に封入したガスに高周波電磁界を作用させることによって放電管内のガスを励起させて可視光を発生させるようにした無電極放電灯は、小型、高出力、長寿命などの特長を有し、省エネルギーの観点からも注目を集め、応用が期待されている。
【０００３】
特にその省エネルギー性能は内部に放電電極を設けた一般の蛍光灯より格段に優れており、また配光特性はＬＥＤに較べて指向性が少なく、波長分布もよりブロードであって、長時間に亘って点灯する用途に非常に適する特性を有している。このため、特に屋外照明、道路照明、ビル等の長時間連続点灯用途などでの活用が期待されている。
【０００４】
しかし、無電極放電灯は高周波電磁界を発生するための回路やコイルからの発熱、高周波によるノイズ、或いは始動がやや困難なことなどの問題点も有しており、これらの解決のために様々な研究開発がなされて来ている。
【先行技術文献】
【特許文献】
【０００５】
【特許文献１】特開平０５−０４７３５５号公報
【特許文献２】特開平０５−１９０１５４号公報
【特許文献３】特開平０５−３４７１４４号公報
【特許文献４】特開平０７−２３０７９３号公報
【特許文献５】特開平０９−１９０８０２号公報
【特許文献６】特開２０００−０４８９８６号公報
【発明の概要】
【発明が解決しようとする課題】
【０００６】
本発明は、無電極放電灯を利用しようとする際に問題となる以下の各点を解決せんとするものである。即ち、既設の屋外照明、道路照明、ビル等の照明などを代替しようとした際に、既設の灯具との互換性を確保した上で回路やコイルからの発熱、高周波によるノイズを低減し、安定した発光と置換・設置の容易さを両立するのが困難であったという点である。
【課題を解決するための手段】
【０００７】
本発明は、内部にガスを封入した放電電極を有さない無電極放電管と、該無電極放電管に近接して配置される誘導コイルと、該誘導コイルに高周波電力を供給する回路とを備えた無電極放電灯であって、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されたことを特徴とする無電極放電灯である。
【０００８】
また本発明は、内部にガスを封入した放電電極を有さない無電極放電管と、該無電極放電管に近接して配置される誘導コイルと、該誘導コイルに高周波電力を供給する回路とを備えた無電極放電灯であって、該内部にガスを封入した放電電極を有さない無電極放電管は管球に凹部を有し、該無電極放電管に近接して配置される誘導コイルは該無電極放電管の凹部に収納設置され、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給されることを特徴とする無電極放電灯である。
【０００９】
また本発明は、内部にガスを封入した放電電極を有さない無電極放電管と、該無電極放電管に近接して配置される誘導コイルと、該誘導コイルに高周波電力を供給する回路とを備えた無電極放電灯であって、該内部にガスを封入した放電電極を有さない無電極放電管は管球に凹部を有し、該無電極放電管に近接して配置される誘導コイルは該無電極放電管の凹部に収納設置され、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給され、且つ、該口金を介して供給電力を受電する入力段にダイオードブリッジを有し、極性にかかわらず該口金を介しての接続が可能となることを特徴とする無電極放電灯である。
【００１０】
また本発明は、内部にガスを封入した放電電極を有さない無電極放電管と、該無電極放電管に近接して配置される誘導コイルと、該誘導コイルに高周波電力を供給する回路とを備えた無電極放電灯であって、該内部にガスを封入した放電電極を有さない無電極放電管は管球に凹部を有し、該無電極放電管に近接して配置される誘導コイルは該無電極放電管の凹部に収納設置され、該誘導コイルに高周波電力を供給する回路は昇降圧回路乃至力率改善回路及びランプ駆動回路からなり、該昇降圧回路乃至力率改善回路と該ランプ駆動回路は分離別置され、該ランプ駆動回路のみが該誘導コイルに近接して配置されて放電管とともにランプ部を構成しており、該ランプ部は従来の灯具と互換性のある口金を有してなり、該口金をもってランプ部が保持されるとともに該口金を介して発光に必要な電力が供給され、該ランプ部の管球凹部及び口金部により構成され内部に誘導コイル及びランプ駆動回路を収納した空隙が充填剤により満たされていることを特徴とする無電極放電灯である。
【００１１】
また本発明は、無電極放電管に直流電力を供給する昇降圧回路乃至力率改善回路であって、該昇降圧回路乃至力率改善回路は筐体内に回路を収納し、且つ該回路を含む筐体内の空隙が充填剤により満たされていることを特徴とする無電極放電灯用の安定器である。
【００１２】
また本発明は、前記の無電極放電灯用の安定器を用いた無電極放電灯である。
【００１３】
また本発明は、内部にガスを封入した放電電極を有さず且つ管球に凹部を有する無電極放電管と、該無電極放電管に近接して配置される誘導コイルと、該誘導コイルに高周波電力を供給する回路とを備えた無電極放電管の製造方法であって、該誘導コイルを該無電極放電管の凹部に収納設置する工程と、該誘導コイルに高周波電力を供給するランプ駆動回路を接続する工程と、該ランプ駆動回路を口金に接続する工程と、該口金及び該管球凹部により形成される空隙に該誘導コイル及び該ランプ駆動回路を収納する工程と、該口金及び該管球を連結する工程と、該ランプ部の管球凹部及び口金部により構成され内部に誘導コイル及びランプ駆動回路を収納した空隙に充填剤を充填する工程とを経たことを特徴とする無電極放電管の製造方法である。
【００１４】
また本発明は、街路灯やトンネルの天井や壁面、塔屋上、橋梁上等々の高所・危険箇所を含む屋外照明或いは天井灯等の屋内照明に用いる照明器具であって、内部にガスを封入した放電電極を有さない無電極放電管と、該無電極放電管に近接して配置される誘導コイルと、該誘導コイルに高周波電力を供給する回路とを備えた無電極放電灯を用い、該誘導コイルに高周波電力を供給する回路は昇降圧回路乃至力率改善回路及びランプ駆動回路からなり、該ランプ駆動回路のみが該誘導コイルに近接して配置されて放電管とともにランプ部を構成しており、該昇降圧回路乃至力率改善回路と該ランプ駆動回路は分離別置され、該昇降圧回路乃至力率改善回路は地上付近或いは手許近傍に設置され、該ランプ部は高所・危険箇所を含む各位置に設置され、該昇降圧回路乃至力率改善回路と該ランプ部は直流電力を給電する配線により接続されることを特徴とする照明器具である。
【００１５】
また本発明は、前記の無電極放電灯用の安定器を用いた無電極放電灯を使用した照明器具である。
【００１６】
また本発明は、街路灯やトンネルの天井や壁面、塔屋上、橋梁上等々の高所・危険箇所を含む屋外照明或いは天井灯等の屋内照明に用いる照明器具を無電極放電管を備えた無電極放電灯に置換する施工方法であって、内部にガスを封入した放電電極を有さない無電極放電管と、該無電極放電管に近接して配置される誘導コイルと、該誘導コイルに高周波電力を供給する回路とを備えた無電極放電灯を用い、該誘導コイルに高周波電力を供給する回路は昇降圧回路乃至力率改善回路及びランプ駆動回路からなり、該ランプ駆動回路のみが該誘導コイルに近接して配置されて放電管とともにランプ部を構成しており、該昇降圧回路乃至力率改善回路と該ランプ駆動回路は分離別置され、既存の配線を利用して該昇降圧回路乃至力率改善回路を地上付近或いは手許近傍に於いて配線中に挿入設置し、該ランプ部を既存のランプに置換して設置し、該昇降圧回路乃至力率改善回路と該ランプ部は既存の配線を利用して直流電力を給電するように施工したことを特徴とする照明器具を無電極放電管を備えた無電極放電灯に置換する施工方法である。
【発明の効果】
【００１７】
本発明の無電極放電灯は、昇降圧回路乃至力率改善回路とランプ駆動回路は分離別置され、ランプ駆動回路のみを該誘導コイルに近接して配置したことにより、発熱による回路への影響を抑え、またランプ部に内蔵する回路構成を単純化して互換性の確保を容易にするとともに、回路間の送電を直流化することによってノイズの発生を抑え、安定した発光と置換・設置の容易さを両立したという利点がある。
【００１８】
また本発明の無電極放電灯は、前記の構成に加えてランプ部が従来の灯具と互換性のある口金を有してなり、該口金をもってランプ部が保持されるとともに該口金を介して発光に必要な電力が供給されることにより、安定した発光と置換・設置の容易さを両立したという利点がある。
【００１９】
また本発明の無電極放電灯は、前記の構成に加えて口金を介して供給電力を受電する入力段にダイオードブリッジを有し、極性にかかわらず該口金を介しての接続を可能とすることにより、安定した発光と置換・設置の容易さを両立したという利点がある。
【００２０】
また本発明の無電極放電灯は、前記の構成に加えてランプ部の管球凹部及び口金部により構成され内部に誘導コイル及びランプ駆動回路を収納した空隙が充填剤により満たされていることにより、信頼性が向上し、安定した発光と置換・設置の容易さを両立したという利点がある。
【００２１】
また本発明の無電極放電灯用の安定器は、昇降圧回路乃至力率改善回路を筐体内に収納し、且つ該回路を含む筐体内の空隙が充填剤により満たされていることにより、信頼性が向上し、安定した発光と置換・設置の容易さを両立したという利点がある。また、この安定器を用いたことにより、前記の無電極放電灯がさらに信頼性が向上するという利点がある。
【００２２】
また本発明の無電極放電管の製造方法は、誘導コイルを無電極放電管の凹部に収納設置する工程と、誘導コイルに高周波電力を供給するランプ駆動回路を接続する工程と、ランプ駆動回路を口金に接続する工程と、口金及び管球凹部により形成される空隙に誘導コイル及びランプ駆動回路を収納する工程と、口金及び管球を連結する工程と、ランプ部の管球凹部及び口金部により構成され内部に誘導コイル及びランプ駆動回路を収納した空隙に充填剤を充填する工程とを経て構成され、高信頼性の無電極放電ランプの製造を可能とするという利点がある。
【００２３】
また本発明の照明器具は、街路灯やトンネルの天井や壁面、塔屋上、橋梁上等々の高所・危険箇所を含む屋外照明或いは天井灯等の屋内照明に用いる照明器具であって、内部にガスを封入した放電電極を有さない無電極放電管と、無電極放電管に近接して配置される誘導コイルと、誘導コイルに高周波電力を供給する回路とを備えた無電極放電灯を用い、誘導コイルに高周波電力を供給する回路は昇降圧回路乃至力率改善回路及びランプ駆動回路からなり、ランプ駆動回路のみが誘導コイルに近接して配置されて放電管とともにランプ部を構成しており、昇降圧回路乃至力率改善回路と該ランプ駆動回路は分離別置され、昇降圧回路乃至力率改善回路は地上付近或いは手許近傍に設置され、ランプ部は高所・危険箇所を含む各位置に設置され、昇降圧回路乃至力率改善回路とランプ部は直流電力を給電する配線により接続されるものであり、安定した発光と置換・設置の容易さを両立し、さらにメンテナンスの容易さも実現したという利点がある。
【００２４】
また本発明の照明器具を無電極放電管を備えた無電極放電灯に置換する施工方法は、街路灯やトンネルの天井や壁面、塔屋上、橋梁上等々の高所・危険箇所を含む屋外照明或いは天井灯等の屋内照明に用いる照明器具を無電極放電管を備えた無電極放電灯に置換する施工方法であって、内部にガスを封入した放電電極を有さない無電極放電管と、無電極放電管に近接して配置される誘導コイルと、誘導コイルに高周波電力を供給する回路とを備えた無電極放電灯を用い、誘導コイルに高周波電力を供給する回路は昇降圧回路乃至力率改善回路及びランプ駆動回路からなり、ランプ駆動回路のみが誘導コイルに近接して配置されて放電管とともにランプ部を構成しており、昇降圧回路乃至力率改善回路とランプ駆動回路は分離別置され、既存の配線を利用して該昇降圧回路乃至力率改善回路を地上付近或いは手許近傍に於いて配線中に挿入設置し、ランプ部を既存のランプに置換して設置し、昇降圧回路乃至力率改善回路とランプ部は既存の配線を利用して直流電力を給電するように施工されるものであり、安定した発光と置換・設置の容易さを両立し、さらにメンテナンスの容易さも実現したという利点がある。
【図面の簡単な説明】
【００２５】
【図１】図１は本発明に係る無電極放電灯の一例を示す概念図である。
【図２】図２は本発明に係る無電極放電灯の製造方法を示すフローチャートである。
【発明を実施するための形態】
【００２６】
本発明に於いては、簡便な方法によってノイズの発生を抑え、安定した発光と置換・設置の容易さを両立し、信頼性が向上した無電極放電灯、並びに無電極放電灯用の安定器を実現し，また安定した発光と置換・設置の容易さを両立し、さらにメンテナンスの容易さも実現した無電極放電管の製造方法、並びに照明器具を無電極放電管を備えた無電極放電灯に置換する施工方法を実現した。
【実施例１】
【００２７】
以下、本発明を実施例に即して詳細に説明する。図１は本発明に係る無電極放電灯の一例を示す概念図である。ここで、１１は内部にガスを封入した放電電極を有さない無電極放電管、１２は誘導コイル、１３はランプ駆動回路、１４は昇降圧回路乃至力率改善回路、１５は直流電力供給電源線を示す。
【００２８】
本実施例に於いて、内部にガスを封入した放電電極を有さない無電極放電管１１として当社製の無電極放電管を用いた。ここで、本発明に係る昇降圧回路乃至力率改善回路とランプ駆動回路が分離別置されてランプ駆動回路のみが誘導コイルに近接して配置される構成にあっては、使用する無電極放電管としてはバルブ型に限定されるものではなく、円盤状、ドーナツ状、或いは直管状など他の形態であっても問題ない。
【００２９】
また、本実施例に於いては誘導コイル１２はバルブの凹部に収納されているが円盤状、ドーナツ状、或いは直管状など他の形態にあっては無電極放電管の近傍に設置されていれば問題ない。
【００３０】
本実施例に於いては、凹部を有するバルブ型の無電極放電管１１、バルブの凹部に収納された誘導コイル１２及び同様にバルブの凹部に収納されたランプ駆動回路１３と口金１６でランプ部を構成し、このランプ部と昇降圧回路乃至力率改善回路１４とが別置されており、この間を直流電力供給電源線１５で接続している。昇降圧回路乃至力率改善回路１４は、通常の交流電源からの交流電力を直流に変換して出力する。本発明の形態を取ることにより、ランプ部の構成が簡素化されて発熱による回路への影響を抑え、またランプ部に内蔵する回路構成を単純化して互換性の確保を容易にするとともに、回路間の送電を直流化することによってノイズの発生を抑え、安定した発光と置換・設置の容易さを両立することが可能となった。
【００３１】
また本実施例に於いては、ランプ部が従来の灯具と互換性のある口金を使用しており、口金１６によりランプ部が保持されるとともに口金を介して発光に必要な電力が供給されため、安定した発光と置換・設置の容易さを両立することが可能となった。
【００３２】
ここで、先に述べたように使用する無電極放電管としてはバルブ型に限定されるものではなく、円盤状、ドーナツ状、或いは直管状など他の形態であっても問題ないが、口金の互換性を維持することは困難となる。なお、無電極放電管が略円盤形状を有する場合、無電極放電管に近接して配置される誘導コイルは無電極放電管の片面乃至両面に近接して設置されることが望ましく、また無電極放電管が略ドーナツ形状を有する場合、無電極放電管に近接して配置される誘導コイルは無電極放電管の円周上に、略ドーナツ形状の無電極放電管に巻き付くように設置されることが望ましい。
【実施例２】
【００３３】
次に、実施例１に於ける口金１６から直流を受電するランプ駆動回路１３の入力段にダイオードブリッジを設けた。これにより、直流電力線の極性にかかわらず口金１６を介しての接続が可能となり、安定した発光と置換・設置の容易さを両立することが可能となった。
【実施例３】
【００３４】
次に、図１に示した本発明に係る無電極放電灯の一例を示す概念図のうちのランプ部中に、凹部を有するバルブ型の無電極放電管１１、バルブの凹部に収納された誘導コイル１２及び同様にバルブの凹部に収納されたランプ駆動回路１３と口金１６により形成される空隙１７に充填剤を充填して、ランプの特性向上を図った。
【００３５】
空隙１７が空気のままである場合、コイル、回路、管球の発熱により空気が膨張して破損の原因となるリスクがあり、またその熱伝導率と誘電率の特性からランプの熱効率及び発光効率に悪影響を及ぼす可能性があった。また、温度変化によって誘電率等が変動することでインピーダンス特性に変動が生じ、ランプの発光安定性や信頼性に悪影響を及ぼす可能性もあった。本発明に於いては、かかるリスクを低減するため空隙１７に充填剤を充填して、ランプの特性向上を図った。
【００３６】
ここで、充填剤は絶縁性及び熱伝導性を有する材料であればよいが、ランプ部の信頼性向上のためには充填後に硬化するものが望ましい。充填剤としては絶縁性及び熱伝導性を有するために熱硬化性樹脂を用いることが望ましいが、特に特性とコスト面を勘案してフェノール樹脂、エポキシ樹脂、メラミン樹脂、尿素樹脂、不飽和ポリエステル樹脂、アルキド樹脂、ポリウレタン、ポリイミド、のいずれかを含む熱硬化性樹脂であることがさらに望ましい。
【００３７】
空隙に充填された充填剤は、熱印加、紫外線照射、電子線照射、或いは混合による重合により硬化する樹脂が好適に用いられる。本実施例に於いては、充填剤としてポリイミドを用いた。具体的には京セラケミカル製熱硬化性ポリイミド樹脂「イミダロイＫＩＲ−３０」を用い、空隙１７に充填した後、ランプ部全体を摂氏１８０度で１２０分加熱して樹脂を硬化させた。
【００３８】
本発明の方法によれば、ランプ部の管球凹部及び口金部により構成され内部に誘導コイル及びランプ駆動回路を収納した空隙が充填剤により満たされていることにより、信頼性及び発光安定性が向上し、安定した発光と置換・設置の容易さを両立することが可能となった。
【実施例４】
【００３９】
次に、図１中で１４に示される、交流電力を直流電力に変換出力して無電極放電管に直流電力を供給する昇降圧回路乃至力率改善回路が収納された筐体内の空隙を充填剤により満たした無電極放電灯用の安定器を構成した。これによって安定器の特性安定化及び信頼性の向上が実現され、無電極放電灯をもちいた照明装置全体の信頼性が向上し、安定した発光と置換・設置の容易さを両立することが可能となった。
【００４０】
昇降圧回路乃至力率改善回路１４に示されるが収納された筐体内の空隙を充填剤により満たした無電極放電灯用の安定器に用いる充填剤は京セラケミカル製熱硬化性ポリイミド樹脂「イミダロイＫＩＲ−３０」を用い、空隙１７に充填した後、ランプ部全体を摂氏１８０度で１２０分加熱して樹脂を硬化させた。
【００４１】
ここで、充填剤は絶縁性及び熱伝導性を有する材料であればよいが、ランプ部の信頼性向上のためには充填後に硬化するものが望ましい。充填剤としては絶縁性及び熱伝導性を有するために熱硬化性樹脂を用いることが望ましいが、特に特性とコスト面を勘案してフェノール樹脂、エポキシ樹脂、メラミン樹脂、尿素樹脂、不飽和ポリエステル樹脂、アルキド樹脂、ポリウレタン、ポリイミド、のいずれかを含む熱硬化性樹脂であることがさらに望ましい。
【実施例５】
【００４２】
図２は、本発明に係る無電極放電灯の製造方法を示すフローチャートである。本実施例に於いては、誘導コイルを無電極放電管の凹部に収納設置する工程と、誘導コイルに高周波電力を供給するランプ駆動回路を接続する工程と、ランプ駆動回路を口金に接続する工程と、口金及び管球凹部により形成される空隙に誘導コイル及びランプ駆動回路を収納する工程と、口金及び管球を連結する工程と、ランプ部の管球凹部及び口金部により構成され内部に誘導コイル及びランプ駆動回路を収納した空隙に充填剤を充填する工程とを経て本発明の無電極放電管が製造された。
【００４３】
本実施例に係る製造方法に於いて、使用した充填剤及び硬化条件は実施例３に示したと同等である。ここで、かかる条件や材料の選択は本発明の本質とは何等関係がなく、条件や材料は適宜選択して用いることが可能であって、同様の効果を得ることが出来る。
【００４４】
本発明に係る方法を用いることにより、簡便な工程でもって高信頼性の無電極放電ランプの製造が可能となった。
【実施例６】
【００４５】
次に、本発明に係る無電極放電灯及び本発明に係る無電極放電灯用の安定器を用いた照明器具を実際に応用した例につき説明する。本発明に係る無電極放電灯を用いた照明器具は、安定した発光と置換・設置の容易さを両立し、さらにメンテナンスの容易さも実現することが出来るものであるから、さまざまな用途に於いて応用可能であるが、特に、街路灯やトンネルの天井や壁面、塔屋上、橋梁上等々の高所・危険箇所を含む屋外照明或いは天井灯等の屋内照明に用いる照明器具としては非常に好適に用いることが出来る。
【００４６】
発明の照明器具は、街路灯やトンネルの天井や壁面、塔屋上、橋梁上等々の高所・危険箇所を含む屋外照明或いは天井灯等の屋内照明に用いる照明器具であって、内部にガスを封入した放電電極を有さない無電極放電管と、無電極放電管に近接して配置される誘導コイルと、誘導コイルに高周波電力を供給する回路とを備えた無電極放電灯を用い、誘導コイルに高周波電力を供給する回路は昇降圧回路乃至力率改善回路及びランプ駆動回路からなり、ランプ駆動回路のみが誘導コイルに近接して配置されて放電管とともにランプ部を構成しており、昇降圧回路乃至力率改善回路と該ランプ駆動回路は分離別置され、昇降圧回路乃至力率改善回路は地上付近或いは手許近傍に設置され、ランプ部は高所・危険箇所を含む各位置に設置され、昇降圧回路乃至力率改善回路とランプ部は直流電力を給電する配線により接続されるものである。
【００４７】
本実施例に於いては、本発明に係る無電極放電灯を用いた照明器具を街路灯の灯具として利用した。街路灯はランプ部が支柱の上部にあり、ランプ交換の際は高所作業車を必要とする等作業的にもコスト的にも交換頻度を最小限に抑えることが求められる。本実施例に於いては、支柱上部に設置するランプは既設の灯具と互換性のある口金を備えたものを用いたため、交換作業が非常に簡便であった。この点で本発明に係る照明器具は最適であるといえる。同様にトンネルの天井や壁面、塔屋上、橋梁上等々の高所・危険箇所を含む屋外照明或いは天井灯等の屋内照明に於いてもその特性は非常に有効である。
【００４８】
また本実施例に於いては、昇降圧回路乃至力率改善回路は地上付近或いは手許近傍に設置され、ランプ部までを直流電力を供給する電力線で配線しているため、高周波によるノイズが少なく、メンテナンスも容易な照明器具であった。
【００４９】
また、使用するランプ及び安定器は本発明に係るものを用いているため、ローコストで信頼性が高く、発光効率及び発光安定性が高い照明器具であった。
【実施例７】
【００５０】
次に、本発明の照明器具を無電極放電管を備えた無電極放電灯に置換する施工方法について説明する。本発明の照明器具を無電極放電管を備えた無電極放電灯に置換する施工方法は、街路灯やトンネルの天井や壁面、塔屋上、橋梁上等々の高所・危険箇所を含む屋外照明或いは天井灯等の屋内照明に用いる照明器具を無電極放電管を備えた無電極放電灯に置換する施工方法であって、内部にガスを封入した放電電極を有さない無電極放電管と、無電極放電管に近接して配置される誘導コイルと、誘導コイルに高周波電力を供給する回路とを備えた無電極放電灯を用い、誘導コイルに高周波電力を供給する回路は昇降圧回路乃至力率改善回路及びランプ駆動回路からなり、ランプ駆動回路のみが誘導コイルに近接して配置されて放電管とともにランプ部を構成しており、昇降圧回路乃至力率改善回路とランプ駆動回路は分離別置され、既存の配線を利用して該昇降圧回路乃至力率改善回路を地上付近或いは手許近傍に於いて配線中に挿入設置し、ランプ部を既存のランプに置換して設置し、昇降圧回路乃至力率改善回路とランプ部は既存の配線を利用して直流電力を給電するように施工されるものである。
【００５１】
本発明の照明器具を無電極放電管を備えた無電極放電灯に置換する施工方法は、安定した発光と置換・設置の容易さを両立し、さらにメンテナンスの容易さも実現することが出来るものであるから、さまざまな用途に於いて応用可能であるが、特に、街路灯やトンネルの天井や壁面、塔屋上、橋梁上等々の高所・危険箇所を含む屋外照明或いは天井灯等の屋内照明に用いる照明器具に非常に好適に用いることが出来る。
【産業上の利用可能性】
【００５２】
本発明の無電極放電灯は、昇降圧回路乃至力率改善回路とランプ駆動回路は分離別置され、ランプ駆動回路のみを該誘導コイルに近接して配置したことにより、発熱による回路への影響を抑え、またランプ部に内蔵する回路構成を単純化して互換性の確保を容易にするとともに、回路間の送電を直流化することによってノイズの発生を抑え、安定した発光と置換・設置の容易さを両立することが出来、もって産業の発達に与って効果のあるものである。
【００５３】
また本発明の無電極放電灯は、前記の構成に加えてランプ部が従来の灯具と互換性のある口金を有してなり、該口金をもってランプ部が保持されるとともに該口金を介して発光に必要な電力が供給されることにより、安定した発光と置換・設置の容易さを両立することが出来、もって産業の発達に与って効果のあるものである。
【００５４】
また本発明の無電極放電灯は、前記の構成に加えて口金を介して供給電力を受電する入力段にダイオードブリッジを有し、極性にかかわらず該口金を介しての接続を可能とすることにより、安定した発光と置換・設置の容易さを両立することが出来、もって産業の発達に与って効果のあるものである。
【００５５】
また本発明の無電極放電灯は、前記の構成に加えてランプ部の管球凹部及び口金部により構成され内部に誘導コイル及びランプ駆動回路を収納した空隙が充填剤により満たされていることにより、信頼性が向上し、安定した発光と置換・設置の容易さを両立することが出来、もって産業の発達に与って効果のあるものである。
【００５６】
また本発明の無電極放電灯用の安定器は、昇降圧回路乃至力率改善回路を筐体内に収納し、且つ該回路を含む筐体内の空隙が充填剤により満たされていることにより、信頼性が向上し、安定した発光と置換・設置の容易さを両立したという利点がある。また、この安定器を用いたことにより、前記の無電極放電灯がさらに信頼性を向上することが出来、もって産業の発達に与って効果のあるものである。
【００５７】
また本発明の無電極放電管の製造方法は、誘導コイルを無電極放電管の凹部に収納設置する工程と、誘導コイルに高周波電力を供給するランプ駆動回路を接続する工程と、ランプ駆動回路を口金に接続する工程と、口金及び管球凹部により形成される空隙に誘導コイル及びランプ駆動回路を収納する工程と、口金及び管球を連結する工程と、ランプ部の管球凹部及び口金部により構成され内部に誘導コイル及びランプ駆動回路を収納した空隙に充填剤を充填する工程とを経て構成され、高信頼性の無電極放電ランプの製造を可能とすることが出来、もって産業の発達に与って効果のあるものである。
【００５８】
また本発明の照明器具は、街路灯やトンネルの天井や壁面、塔屋上、橋梁上等々の高所・危険箇所を含む屋外照明或いは天井灯等の屋内照明に用いる照明器具であって、内部にガスを封入した放電電極を有さない無電極放電管と、無電極放電管に近接して配置される誘導コイルと、誘導コイルに高周波電力を供給する回路とを備えた無電極放電灯を用い、誘導コイルに高周波電力を供給する回路は昇降圧回路乃至力率改善回路及びランプ駆動回路からなり、ランプ駆動回路のみが誘導コイルに近接して配置されて放電管とともにランプ部を構成しており、昇降圧回路乃至力率改善回路と該ランプ駆動回路は分離別置され、昇降圧回路乃至力率改善回路は地上付近或いは手許近傍に設置され、ランプ部は高所・危険箇所を含む各位置に設置され、昇降圧回路乃至力率改善回路とランプ部は直流電力を給電する配線により接続されるものであり、安定した発光と置換・設置の容易さを両立することが出来、もって産業の発達に与って効果のあるものである。
【００５９】
また本発明の照明器具を無電極放電管を備えた無電極放電灯に置換する施工方法は、街路灯やトンネルの天井や壁面、塔屋上、橋梁上等々の高所・危険箇所を含む屋外照明或いは天井灯等の屋内照明に用いる照明器具を無電極放電管を備えた無電極放電灯に置換する施工方法であって、内部にガスを封入した放電電極を有さない無電極放電管と、無電極放電管に近接して配置される誘導コイルと、誘導コイルに高周波電力を供給する回路とを備えた無電極放電灯を用い、誘導コイルに高周波電力を供給する回路は昇降圧回路乃至力率改善回路及びランプ駆動回路からなり、ランプ駆動回路のみが誘導コイルに近接して配置されて放電管とともにランプ部を構成しており、昇降圧回路乃至力率改善回路とランプ駆動回路は分離別置され、既存の配線を利用して該昇降圧回路乃至力率改善回路を地上付近或いは手許近傍に於いて配線中に挿入設置し、ランプ部を既存のランプに置換して設置し、昇降圧回路乃至力率改善回路とランプ部は既存の配線を利用して直流電力を給電するように施工されるものであり、安定した発光と置換・設置の容易さを両立し、さらにメンテナンスの容易さも実現することが出来、もって産業の発達に与って効果のあるものである。
【符号の説明】
【００６０】
１１    内部にガスを封入した放電電極を有さない無電極放電管
１２    誘導コイル
１３    ランプ駆動回路
１４    昇降圧回路乃至力率改善回路
１５    直流電力供給電源線
１６    口金
１７    空隙
【図１】
0005805958.tif 000002
【図２】
0005805958.tif 000003